【事件の表示】
　特願２００９−１２９９４０「光学コードを走査するための装置、方法およびシステム」拒絶査定不服審判事件〔平成２２年　２月　４日出願公開、特開２０１０−　２８８０１〕について、次のとおり審決する。
【結　論】
　本件審判の請求は、成り立たない。
【理　由】
第１  手続の経緯
　本願は、平成２１年５月２９日（パリ条約による優先権主張　２００８年７月２１日、米国）の出願であって、平成２５年７月１０日付けで拒絶の理由が通知され、これに対して、同年１０月１日付けで手続補正がなされたが、平成２６年３月１９日付けで拒絶査定がなされた。これに対して、同年４月１８日付けで拒絶査定不服審判の請求がなされたものである。
　
　
第２　本願発明について
　本願の請求項に係る発明は、平成２５年１０月１日付け手続補正書により補正された特許請求の範囲の請求項１ないし１８に記載された事項により特定されるものと認められるところ、その請求項１に係る発明（以下、「本願発明」という。）は、以下のとおりのものである。
　
（本願発明）
「 光学コードの移動に関連するぼやけを低減する、光学コードを走査するための光学コード・イメージ・スキャナ装置であって、
　光学コードを含む画像を取り込むために動作することができる画像取込装置と、
　前記画像取込装置が光学コードを含む画像を取り込む場合に、前記画像取込装置を横切ってある方向を向いている前記画像をパンすることにより、前記画像取込装置に対する前記光学コードの見掛け上の動きを低減する画像方向付け装置と、
を備え、
　前記画像方向付け装置が、前記画像取込装置を横切ってある方向を向いている前記画像をパンする可動画像反射装置を有し、
　前記可動画像反射装置が、ある軸を中心軸として回動する板状の反射装置と、前記反射装置の一方の面に接触する伸縮可能なアームと、前記アームを伸縮させるアクチュエータとを含み、前記アクチュエータが前記アームを伸縮させることにより前記反射装置が回動して前記反射装置が前記光学コードを含む画像をパンする、装置。」
　
　
第３　引用例
１．原審の拒絶理由に引用された、特開平６−２７４６７５号公報（以下、「引用例１」という。）には「バーコードシンボル読取装置」として図面とともに以下の事項が記載されている。
　
ア．「【０００１】
【産業上の利用分野】本発明は、バーコードシンボルを読み取るバーコードシンボル読取装置に関し、特に、移動している物体に貼られたバーコードシンボルや手ぶれをしているバーコードシンボルの読み取り方法に関するものである。」（第２頁）
　
イ．「【０００３】このようなバーコードシンボルの読み取り方法としては、ＣＣＤ等の撮像素子によってバーコードの像を読み取り、この像の輝度情報より像の各ポイントがバーなのかスペースなのかを判断し、バーコードシンボルに書かれている情報を解読するものがある。あるいは、レーザビームをバーコードシンボル上でスキャンさせ、その反射光を検出し、反射部分がバーなのかスペースなのかを判断して、バーコードシンボルに書かれている情報を解読する方法もある。
【０００４】しかし、荷物の集配時に於いて、荷物はコンベアベルト等で移動している場合が多い。このように移動している荷物に貼られたラベルを読み取る場合、読み取り時間内にラベルが移動する距離がぶれ量となって読取エラーの原因となる。また、操作者によってラベルをスキャナ前面に配置し読み取るような場合に於いても、操作者の手ぶれがスキャナ又はラベルのぶれとなり、読取エラーの原因となる。」（第２頁）
　
ウ．「【０００９】本発明は、上記の点に鑑みてなされたもので、フラッシュやシャッタを用いずに安価なカメラを用い、バーコードシンボルのぶれの影響をなくせるバーコードシンボル読取装置を提供することを目的とする。」（第３頁）
　
エ．「【００１２】
【実施例】以下、図面を参照して、本発明の実施例を説明する。
（第１実施例）図１の（Ａ）及び（Ｂ）は、本発明の第１実施例のバーコードシンボル読取装置の側面図及び上面図である。
【００１３】バーコードシンボルの書かれたラベル１０は、コンベアベルト１２によって移動している物体１４に貼られている。本読取装置に於いては、フォトインタラプタは、フォトインタラプタ“Ａ”１６とフォトインタラプタ“Ｂ”１８の２組配置する。即ち、これら２組のフォトインタラプタ１６，１８の距離を、物体１４が最初のフォトインタラプタ“Ａ”１６を横切ってから次のフォトインタラプタ“Ｂ”１８を横切るまでの時間で割ることによって、物体１４の移動速度が求まる。これらの演算は制御装置２０内に於いて行われる。そして制御装置２０は、物体１４の移動速度が判明次第、不図示移動機構により、読取センサ２２を図の矢印の方向２４に回動させる。即ち、読取センサ２２は、上記２組のフォトインタラプタ１６，１８を用いて測定した物体の移動速度で、移動物体１４を常にセンサ上の同じ位置にとらえられるように、制御装置２０によって制御され回動する。ここで、読取センサ２２を回動する代わりに、図１の（Ｃ）に示すように、移動物体１４の移動方向と同方向で平行に移動しても良い。このようにすることで、読取センサ２２でぶれのない像を読み取れる。読み取った像は、デコーダ部２６によってデコードされ情報が読み出される。このような構成のバーコードシンボル読取装置は、図２のフローチャートに示すように動作する。
【００１４】即ちフォトインタラプタ“Ａ”１６がラベル１０の貼られた移動物体１４を検知すると（ステップＳ１１）、制御装置２０は、内部に構成された不図示タイマをスタートさせ（ステップＳ１２）、その後、フォトインタラプタ“Ｂ”１８が上記移動物体１４を検知すると（ステップＳ１３）、上記タイマをストップさせる（ステップＳ１４）。つまり、物体１４が最初のフォトインタラプタ“Ａ”１６を横切ってから次のフォトインタラプタ“Ｂ”１８を横切るまでの時間を計時する。
【００１５】次に、予めわかっている上記２組のフォトインタラプタ１６，１８の距離を、このタイマで計時した時間で割ることによって、物体１４の移動速度Ａを演算する（ステップＳ１５）。そして、読取センサ２２の撮像エリア２８の移動速度が上記演算した移動速度Ａとなるような読取センサ２２の移動（回動もしくは平行移動）速度を設定し（ステップＳ１６）、不図示移動機構によりこの移動速度で読取センサ２２を移動させて（ステップＳ１７）、ラベル１０を撮像する（ステップＳ１８）。」（第３頁）
　
　上記ア．〜エ．の記載及び関連する図面並びにこの分野における技術常識を考慮すると、
　
ａ．上記ア．にあるように、引用例１には、「移動している物体に貼られたバーコードシンボル」を読み取る「バーコードシンボル読取装置」が記載されており、上記エ．の段落【００１３】には、「バーコードシンボル読取装置」で読み取ったバーコードシンボルの像を「デコード」することが記載されている。
　また、上記ウ．には当該「バーコードシンボル読取装置」が「バーコードシンボルのぶれの影響をなくせる」ものであることが記載されている。
　
ｂ．上記エ．の段落【００１３】、及び図１には、「バーコードシンボル読取装置」が「読取センサ」を備えるとともに、「ラベル」には「バーコードシンボル」が書かれていることが記載されており、段落【００１５】には、「読取センサ」で「ラベル」を撮像することが記載されている。
　
ｃ．上記エ．の段落【００１３】には、「移動機構」により、「移動物体」を「常にセンサ上の同じ位置にとらえられるように」、「読取センサ」を「回動させる」ことが記載されている。
　そして、上記オ．、及び図２には、移動機構によって読取センサを回動させ、ラベルを撮像することが一連の処理として記載されていることから、移動機構による読取センサの回動は読取センサがラベルを撮像する「場合」に行われるものであるとも言える。
　
　したがって、引用例１には以下の発明（以下、「引用発明１」という。）が開示されている。
　
（引用発明１）
「　移動している物体に貼られたバーコードシンボルのぶれの影響をなくせる、バーコードシンボルを読み取ってデコードするバーコードシンボル読取装置であって、
　バーコードシンボルの書かれたラベルを撮像する読み取りセンサと、
　前記読取センサがラベルを撮像する場合に、移動物体を常にセンサ上の同じ位置にとらえられるように、読取センサを回動させる移動機構と、
　を備えたバーコードシンボル読取装置」
　
２．原審の拒絶理由に引用された、特開平７−１９９３８３号公報（以下、「引用例２」という。）には「高速移動物体の静止画像取込み方法とその静止画像取込み装置」として図面とともに以下の事項が記載されている。
　
オ．「【０００１】
【産業上の利用分野】本発明は、高速移動物体をカメラ、ビデオカメラ、ＣＣＤカメラ等の画像を記録する手段を用いて撮影する場合における高速移動物体の静止画像取込み方法と、その方法を具体的に実現するのに好適な静止画像取込み装置に係るものであり、  詳しくは、輪転印刷機など高速で印刷する場合、その印刷状態を静止画像にしてテレビ画面に表示したり、印刷異常を検知する場合に利用できる方法に関するものである。」（第２頁）
　
カ．「【０００５】
【実施例】実施例について図面を参照して説明する。第１発明としての高速移動物体の静止画像取込み方法は、下記のように構成されている。ストロボを利用せずに、広い範囲を静止画像として取り込む為に、カメラの前に鏡を置き、その鏡を移動する印刷物のスピードに合わせて回転させながら、当該鏡が印刷物に対して所定角度に達したとき画像を撮影するよう構成されている。所定角度とは、画像のひずみを最小で鮮明にするために図７（Ｂ）のように、鏡が４５度になった段階で、撮影対象の中心がシャッターの開時間の中心となるようにする。長方形を撮影した場合、画像は誇張して表現すると、図７（Ａ），（Ｂ），（Ｃ）のようになる。したがって、ｂ位置（４５度位置）が、シャッターの開時間の中心となるよう、シャッターを制御する。また、シャッタースピードを上げると、より高精度に撮影できる。図８を参照して、例えば、シャッターの開時間が、１／２５０秒（＝４ｍｍ秒）、撮影対象の移動時間が３００ｍ／分の場合、シャッターの開の４ｍｍ秒の間に撮影対象は２ｃｍ移動する。鏡はこの撮影対象の移動速度に同期して回転している。したがってこの場合は、鏡が４５度となる２ｍｍ秒前に開となり、４５度を経過後、２ｍｍ秒後に閉となるようにシャッターを制御する。
【０００６】１は、第１発明を実現するのに好適な第１発明としての高速移動物体の静止画像取込み装置で下記のように構成されている。印刷物などの被写体２を水平状態で移動する手段３と、この被写体２の移動速度を検知する印刷スピード検出用フォトダイオードなどの移動速度検知手段４と、被写体２の上方位置において被写体の移動方向をもつと共に、被写体の移動速度と同期して回転する鏡５と、当該鏡５に対して同一レベルをもって被写体の移動方向とは反対方向側に位置し、かつ、被写体の移動方向と平行な方向をもって作用するよう支持されたカメラ、ビデオカメラ、ＣＣＤカメラ等の画像を記録する手段６とからなり、鏡５が被写体の移動方向に対して４５度の角度になったとき画像を記録する手段６が作動するよう構成されている。
【０００７】なお、図中、５Ａは鏡５などを支持するフレーム、５Ｂはこのフレーム上端に被写体の移動方向とは直交方向をもつと共に、被写体の移動方向とは反対方向に回転するよう支持されたシャフトで、このシャフトに鏡５が固着されている。５Ｃは、このシャフトを回転させるモータ、５Ｄはこのモータに併設されたエンコーダ、５Ｅは鏡５の４５度検出用フォトインタラプタである。
【０００８】１．図２〜図４のようにカメラの前に鏡を置き、印刷物の移動速度に合わせ鏡を回転させる。
２．シャッターは図６のタイミングで押し撮影する。
例１
シャッター速度が１／２５０秒の場合シャッターは、０．００４秒間「開」となる。印刷物が３００ｍ／分で移動している場合、上記シャッター速度であると、シャッターが開いている内に、印刷物は２０ｍｍ移動する。図９を参照して、例えば、距離ａが２０００ｍｍ、撮影対象の移動速度が５００ｍｍ／秒の場合、ｔａｎθ＝（５００／２０００）、θ＝約１４．０３６度、鏡の回転速度は、θ／２＝約７．０１８度／秒となる。したがって、鏡は、約５２．３秒で１回転するように制御する。
【０００９】例２
シャッター速度が１／４５０秒の場合シャッターは、約０．００２２秒間「開」となる。印刷物が３００ｍ／分で移動している場合、上記シャッター速度であると、シャッターが開いている内に、印刷物は約１１．１ｍｍ移動する。鏡を４５度で停止したまま、シャッターを押下げると画像はかすれて写る。それを、鏡のスピードを印刷物に合わせることにより、静止した画像を得ることができる。
【００１０】上述のほか、本発明のものは下記のようにすることができる。
１．鏡の他、プリズム等光を屈折できる物を使うことが可能であり又は重くなるがカメラ自体を回転させることも可能である。
２．鏡を１回転させず、シャッター開の間回転させ、シャッター閉とともに鏡をもとの位置に戻す方法もある。
３．印刷物の静止観測以外にも、高速で移動する物すべてについて本方式は応用できる。」（第２−３頁）
　
　上記オ．、カ．の記載及び関連する図面並びにこの分野における技術常識を考慮すると、
　
ｄ．上記オ．にあるように、引用例２には、高速移動物体を撮影する「静止画像取込み装置」が記載されている。
　そして、上記カ．の段落【０００５】、【０００６】には、「静止画像取込み装置」が「カメラ」を備え、前記「カメラ」で移動する印刷物を撮影することが記載されており、段落【０００８】、及び図６には、「カメラの前」に「鏡」を置いて、「印刷物の移動速度に合わせ」て鏡を「回転させ」、シャッターを押下、すなわちシャッター開にして撮影することが記載されている。
　また、上記カ．の段落【０００９】には、シャッターが開いている間に印刷物が移動するので、鏡を４５度で停止したままシャッターを押下げると画像はかすれて写るが、鏡のスピードを印刷物に合わせることにより、「静止した画像を得ることができる」旨記載されている。
　また、上記カ．の段落【００１０】には、鏡を１回転させず、「シャッター開の間」回転させ、「シャッター閉とともに」もとの位置に戻すようにする点、及び「印刷物」のみならず「高速で移動する物」に引用例２に記載の発明が応用できることが記載されている。
　
　したがって、引用例２には以下の発明（以下、「引用発明２」という。）が開示されている。
　
（引用発明２）
「 物体が移動することによるかすれのない静止した画像を得ることができる、高速移動物体を撮影する静止画像取込み装置であって、
　シャッターを開けて移動する物体を撮影するカメラと、
　前記カメラの前に置かれた鏡であって、前記カメラがシャッター開の間、移動する物体の移動速度に合わせて回転させ、シャッター閉とともにもとの位置に戻す鏡と、
を備える、静止画像取込み装置。」
　
　
第４　対比・判断
　本願発明と引用発明１とを対比する。
　
（ア）　引用発明１の「移動している物体に貼られたバーコードシンボルのぶれの影響をなくせる、バーコードシンボルを読み取るバーコードシンボル読取装置」について、引用例１の上記第３　１．イ．の段落【０００３】には、「バーコードシンボルの読み取り方法としては、ＣＣＤ等の撮像素子によってバーコードの像を読み取り」と記載されていることから、「バーコードシンボル」と「バーコード」は同じ物を表していると言え、一方、本願明細書【０００９】に記載されているように、本願発明の「光学コード」は「バーコード」を含むものであることから、引用発明１の「バーコードシンボル」は本願発明の「光学コード」に相当する。
　また、上記第３　１．イ．の段落【０００４】には、「ぶれ」について、ラベルの移動する距離がぶれ量となる旨が記載されており、上記第３　１．ｂ．で認定したように、バーコードシンボルはラベルに書かれたものであることから、引用発明１における「バーコードシンボルのぶれ」がバーコードシンボルの移動に関連することは明らかである。さらに、画像取り込みの技術分野において、被写体の移動に関連する「ぶれ」が被写体の移動に関連する「ぼやけ」に相当することは技術常識であり、またぶれの「影響をなくせる」のであれば、ぼやけを「低減する」ことができていることは明らかである。
　また、本願明細書【０００２】に記載されているように、本願発明における「走査」とは、「バーコードを形成しているバーおよびスペースを検出し、分析し、復号する」動作を表し、上記第３　１．エ．の段落【００１３】には「デコード」することによって読み取られたバーコードシンボルの像から情報が読み出されることが記載されており、バーコードシンボルの像から情報を読み出すためには「バーコードを形成しているバーおよびスペースを検出し、分析」しなければならないことは、バーコード読取の技術分野における技術常識であることから、引用発明１における「バーコードシンボルを読み取ってデコードする」ことは、本願発明における「光学コードを走査する」ことに相当し、引用発明１におけるバーコードシンボルを読み取ってデコードする「バーコードシンボル読取装置」は、本願発明における光学コードを走査するための「光学コード・イメージ・スキャナ装置」に相当する。
　してみれば、引用発明１における、「移動している物体に貼られたバーコードシンボルのぶれの影響をなくせる、バーコードシンボルを読み取ってデコードするバーコードシンボル読取装置」は、本願発明における、「光学コードの移動に関連するぼやけを低減する、光学コードを走査するための光学コード・イメージ・スキャナ装置」に相当する。
　
（イ）　引用発明１の「バーコードシンボルの書かれたラベルを撮像する読取センサ」について、「バーコードシンボルの書かれたラベル」を撮像することは、「バーコードシンボル」を含む画像を撮像することであることは明らかである。また上記（ア）で検討した通り、引用発明１の「バーコードシンボル」は本願発明の「光学コード」に相当する。
　また、読取センサにおける「撮像」とは、読取センサ上に結像している光学画像を光電変換処理によって取り込むことであることは、撮像における技術常識であることから、引用発明１における、「バーコードシンボルの書かれたラベルを撮像する読取センサ」は、本願発明における「光学コードを含む画像を取り込むために動作することができる画像取込装置」に相当する。
　
（ウ）　引用発明１の「前記読取センサがラベルを撮像するときに、移動物体を常にセンサ上の同じ位置にとらえられるように、読取センサを回動させる移動機構」について、「前記読取センサがラベルを撮像するとき」は、（イ）で検討したように、本願発明における「前記画像取込装置が光学コードを含む画像を取り込む場合」に相当する。
　また、引用発明１における「移動物体を常にセンサ上の同じ位置にとらえられるように」することは、読取センサ上において移動物体に貼られたバーコードシンボルの見かけ上の動きをなくすことに他ならないことから、本願発明における「前記画像読取装置に対する前記光学コードの見掛け上の動きを低減する」ことに相当する。
　しかしながら、「前記画像読取装置に対する前記光学コードの見掛け上の動きを低減する」にあたり、本願発明においては、「前記画像取込装置を横切ってある方向を向いている前記画像をパンすることにより」行うのに対し、引用発明１においては、「移動機構」が「読取センサを回動させる」ことによって行う点で相違する。
　してみれば、引用発明１の「前記読取センサがラベルを撮像するときに、移動物体を常にセンサ上の同じ位置にとらえられるように、読取センサを回動させる移動機構」は、本願発明の「前記画像取込装置が光学コードを含む画像を取り込む場合に、前記画像取込装置を横切ってある方向を向いている前記画像をパンすることにより、前記画像取込装置に対する前記光学コードの見掛け上の動きを低減する画像方向付け装置」と、「前記画像取込装置が光学コードを含む画像を取り込む場合に、前記画像取込装置に対する前記光学コードの見掛け上の動きを低減する装置」である点で共通し、「前記画像取込装置に対する前記光学コードの見掛け上の動きを低減する」にあたり、本願発明においては、「前記画像取込装置を横切ってある方向を向いている前記画像をパンする」ことにより行うのに対し、引用発明１においては、「移動機構」が画像取込装置を回動させることによって行う点で相違する。
　
（エ）　引用発明１には、「前記画像取込装置を横切ってある方向を向いている前記画像をパンする可動画像反射装置を有し、
　前記可動画像反射装置が、ある軸を中心軸として回動する板状の反射装置と、前記反射装置の一方の面に接触する伸縮可能なアームと、前記アームを伸縮させるアクチュエータとを含み、前記アクチュエータが前記アームを伸縮させることにより前記反射装置が回動して前記反射装置が前記光学コードを含む画像をパンする」「画像方向付け装置」がない点で本願発明と相違する。
　
　したがって、本願発明と引用発明１とは、以下の点で一致ないし相違している。
（一致点）
「 光学コードの移動に関連するぼやけを低減する、光学コードを走査するための光学コード・イメージ・スキャナ装置であって、
　光学コードを含む画像を取り込むために動作することができる画像取込装置と、
　前記画像取込装置が光学コードを含む画像を取り込む場合に、前記画像取込装置に対する前記光学コードの見掛け上の動きを低減する装置と、
を備える、装置。」
　
（相違点）
（ａ）　「前記画像取込装置に対する前記光学コードの見掛け上の動きを低減する」にあたり、本願発明においては、「前記画像取込装置を横切ってある方向を向いている前記画像をパンする」ことにより行うのに対し、引用発明１においては、「移動機構」が画像取込装置を回動させることによって行う点で相違する。
　
（ｂ）　本願発明では、「前記画像取込装置を横切ってある方向を向いている前記画像をパンする可動画像反射装置を有し、前記可動画像反射装置が、ある軸を中心軸として回動する板状の反射装置と、前記反射装置の一方の面に接触する伸縮可能なアームと、前記アームを伸縮させるアクチュエータとを含み、前記アクチュエータが前記アームを伸縮させることにより前記反射装置が回動して前記反射装置が前記光学コードを含む画像をパンする」「画像方向付け装置」を備えているのに対し、引用発明１ではそのような構成を備えていない点で相違する。
　
　そこで、上記相違点（ａ）、（ｂ）について検討する。
　相違点（ｂ）にあるように、本願発明が備える「画像方向付け装置」は、「
前記画像取込装置を横切ってある方向を向いている前記画像をパンする
前記反射装置が回動して前記反射装置が前記光学コードを含む画像をパンする
　一方、第３　２．に記載したように、引用発明２には、
「 物体が移動することによるかすれのない静止した画像を得ることができる、高速移動物体を撮影する静止画像取込み装置であって、
　シャッターを開けて移動する物体を撮影するカメラと、
　前記カメラの前に置かれた鏡であって、前記カメラがシャッターを開の間、移動する物体の移動速度に合わせて回転させ、シャッター閉とともにもとの位置に戻す鏡と、
を備えた、
静止画像取込み装置。」
が記載されている。
　ここで、引用発明２における鏡を回転させることは、停止したままでは鏡によって反射されてカメラに入光する物体の像が、物体の移動と共にカメラに対して移動してしまう（画像取込装置を横切ってある方向を向いている）ところ、鏡（反射装置）を物体の移動速度に合わせて回転（回動）させて、カメラに入光する物体の像を移動させる（画像をパンする）ことで、カメラに入光する物体の像のカメラに対する見掛け上の動きを低減させるものであると言える。
　また、引用例２には、上記第３　２．カ．の段落【００１０】において、鏡を回転させることと、カメラ自体を回転させることが置換可能である旨記載されている。
　したがって、引用発明２において画像取込装置を回動させることと置換可能とされる『反射装置を回動させる』技術を、引用発明１における、移動する物体を撮影する際に画像取込装置に対する物体の見掛け上の動きを低減させる技術として採用し、「前記画像取込装置に対する前記光学コードの見掛け上の動きを低減する」にあたり、画像取込装置を回動させることによって行うことに換えて、画像取込装置の前に置かれた反射装置を物体の移動速度に合わせて回動させる、すなわち「前記画像取込装置を横切ってある方向を向いている前記画像をパンする」ことにより行うようにすることは当業者であれば容易に想到しうるものである。
　また、反射装置を限られた範囲内で回動させることを具体化するための構造として、反射装置の一方の面に接触するアームと、前記アームを伸縮させるアクチュエータを用いることは、例えば先の拒絶査定においても周知例として挙げられている特開２００１−２６４６６７号公報（特に段落【００２８】、図５には、光スキャン装置において、ミラーの背面に固定された駆動部の駆動ロッドによりミラーを回動を回動させるために駆動部から突出する駆動ロッドの突出量を増減させることが記載されており、駆動部から突出する駆動ロッドの突出量を増減させることがアームの伸縮に相当する。）にあるように周知の技術に過ぎず、反射装置を限られた範囲内で回動させることを具体化するための構造として、該周知技術を用いることによる格別の作用効果も認められないことから、引用発明１に引用発明２を適用するに際して、該周知技術を用いることは、反射装置を限られた範囲内で回動させることを具体化するための構造として、周知技術を単に用いただけに過ぎない。
　
　このように上記相違点（ａ）、（ｂ）は格別なものでなく、本願発明に関する作用・効果も引用発明１、２、及び周知技術から当業者が予測できる範囲のものである。
　
　
第５　むすび
　以上のとおりであるから、本願発明は引用発明１、２、及び周知技術に基いて容易に発明をすることができたものであるから、特許法第２９条第２項の規定により、特許を受けることができない。
　よって、結論の通り審決する。